(57)【要約】【課題】特別な申請操作を行うことなく使用権のない部分の地図の利用できるようにし且つ地図の購入をユーザに促すことができる地図情報処理装置を実現する。【解決手段】電子制御装置（ＥＣＵ）１１は、例えば、走行中に自車位置が使用権が設定されていない分割地図に対応する地域に入った場合、その分割地図に対応する地図の表示等の処理を継続して実行し、その代わりに、例えば、分割地図の宣伝や、最新版地図の宣伝、又は他の各種サービスの宣伝といったコマーシャル情報を映像または音声にて再生する。コマーシャル情報の再生は、例えば、定期的に繰り返し実行される。【選択図】図１
2011069663.tif 000002
【特許請求の範囲】
【請求項１】
地図データ記憶手段に格納された地図データを用いて地図の表示を含む所定の処理を実行する処理手段と、
前記地図データを構成する複数の分割地図データそれぞれの使用権を管理する管理手段と、
表示対象の場所の地図表示に必要な分割地図データに使用権が設定されていない場合、前記使用権が設定されていない分割地図データを利用することによって前記処理手段による前記表示対象の場所の地図表示を継続しながら、所定のコマーシャル情報を再生するコマーシャル情報再生手段とを具備することを特徴とする地図情報処理装置。
【請求項２】
前記コマーシャル情報再生手段は、前記表示対象の場所の地図を縮小して表示画面上に表示すると共に、前記コマーシャル情報に含まれるコマーシャル映像を前記表示画面上に表示することを特徴とする請求項１記載の地図情報処理装置。
【請求項３】
前記コマーシャル情報再生手段は前記コマーシャル情報に含まれるコマーシャル音声を再生出力することを特徴とする請求項１記載の地図情報処理装置。
【請求項４】
前記コマーシャル情報再生手段は、無線網を介してサーバからコマーシャル情報を取得し、前記取得したコマーシャル情報を再生することを特徴とする請求項１記載の地図情報処理装置。
【請求項５】
前記地図情報処理装置の現在位置を検出する位置検出手段をさらに具備し、
前記処理手段は前記位置検出手段によって検出された前記地図情報処理装置の現在位置の地図を表示するように構成されており、
前記コマーシャル情報再生手段は、前記地図情報処理装置の現在位置が使用権が設定されいない分割地図データに対応する地域にある間、予め決められた時刻毎に前記コマーシャル情報を再生することを特徴とする請求項１記載の地図情報処理装置。
【請求項６】
前記地図情報処理装置の現在位置を検出する位置検出手段と、
出発地から目的地までのルートを設定し当該ルートを案内する案内手段と、
前記地図データに基づいて、前記ルート中において前記ＣＭ情報を再生する区間を決定する手段とをさらに具備し、
前記コマーシャル情報再生手段は、前記検出された現在位置が前記決定された区間内である時に、前記コマーシャル情報を再生することを特徴とする請求項１記載の地図情報処理装置。
【請求項７】
前記コマーシャル情報再生手段による前記コマーシャル情報の再生期間中、前記地図情報処理装置に対する入力操作の受付を禁止する入力操作禁止手段をさらに具備することを特徴とする請求項１記載の地図情報処理装置。
【請求項８】
記憶媒体に格納された地図データを用いて地図の表示を含む所定の処理を実行する処理ステップと、
前記地図データを構成する複数の分割地図データそれぞれの使用権を管理する管理ステップと、
表示対象の場所の地図表示に必要な分割地図データに使用権が設定されていない場合、前記使用権が設定されていない分割地図データを利用することによって前記表示対象の場所の地図表示を継続しながら、所定のコマーシャル情報を再生するコマーシャル情報再生ステップとを具備することを特徴とする地図情報処理方法。
【請求項９】
コンピュータに地図を表示させるためのプログラムであって、
記憶媒体に格納された地図データを用いて地図の表示を含む所定の処理を実行する処理手順と、
前記地図データを構成する複数の分割地図データそれぞれの使用権を管理する管理手順と、
表示対象の場所の地図表示に必要な分割地図データに使用権が設定されていない場合、前記使用権が設定されていない分割地図データを利用することによって前記表示対象の場所の地図表示を継続しながら、所定のコマーシャル情報を再生するコマーシャル情報再生手順とを前記コンピュータに実行させることを特徴とするプログラム。
【発明の詳細な説明】
【技術分野】
【０００１】
本発明は、一般に地図情報を処理するための地図情報処理装置に関し、特に分割地図を用いて地図情報を処理するための地図情報処理装置および地図情報処理方法並びにプログラムに関する。
【背景技術】
【０００２】
一般に、地図情報の表示や経路案内等を行うための地図情報処理装置としては、カーナビゲーション、携帯ナビゲーションといったナビゲーション装置が広く使用されている。ナビゲーション装置は、地図データを用いて、当該装置の現在地周辺の地図や目的地周辺の地図等を検索して表示する処理、ルート検索処理、およびルート案内処理等を実行する。
【０００３】
また、最近では、地図データを分割して管理する技術も開発され始めている。例えば、特許文献１には、ナビゲーション装置用の地図の分割販売に関する技術が開示されている。この特許文献１に開示された装置は、使用権が無い部分の地図について、その購入を前提に暫定使用権を与え、且つ一定期間その表示を行う。すなわち、この装置は、使用権が設定されていない部分の地図データに関し、正式使用のための処置を所定の期間内に講じることを担保とした暫定使用の許可申請を入力する入力手段を備えており、暫定使用の許可申請が入力手段によって入力された場合に、その暫定使用の許可申請された分の地図データに対してその処理の実行を許可するというものである。
【先行技術文献】
【特許文献】
【０００４】
【特許文献１】特開２００２−２４３４５７号公報
【発明の概要】
【発明が解決しようとする課題】
【０００５】
しかし、特許文献１の技術では、許可申請が入力されない限りは、使用権のない部分の地図の利用は一切出来ない。このため、使用権のない部分の地図の利用を継続する場合には、ユーザ（運転者）は許可申請の有無を即座に判断し、さらに許可申請する場合にはそのための入力操作を行わなければならない。しかし、このような判断やその許可申請のための入力操作を運転中などに即座に行うことは、ユーザ（運転者）にとって必ずしも容易なことではない。また、特許文献１では、使用権のない部分の地図に対するユーザの購買意欲を高めるための工夫については特に考慮されていない。
【０００６】
本発明は上述の事情を考慮してなされたものであり、特別な申請操作を行うことなく使用権のない部分の地図を利用できるようにし且つ当該地図の購入をユーザに促すことができる地図情報処理装置およびプログラムを提供することを目的とする。
【課題を解決するための手段】
【０００７】
上述の課題を解決するために、本発明の地図情報処理装置は、地図データ記憶手段に格納された地図データを用いて地図の表示を含む所定の処理を実行する処理手段と、前記地図データを構成する複数の分割地図データそれぞれの使用権を管理する管理手段と、表示対象の場所の地図表示に必要な分割地図データに使用権が設定されていない場合、前記使用権が設定されていない分割地図データを利用することによって前記処理手段による前記表示対象の場所の地図表示を継続しながら、所定のコマーシャル情報を再生するコマーシャル情報再生手段とを具備することを特徴とする。
【０００８】
また、本発明は、コンピュータに地図を表示させるためのプログラムであって、記憶媒体に格納された地図データを用いて地図の表示を含む所定の処理を実行する処理手順と、前記地図データを構成する複数の分割地図データそれぞれの使用権を管理する管理手順と、表示対象の場所の地図表示に必要な分割地図データに使用権が設定されていない場合、前記使用権が設定されていない分割地図データを利用することによって前記表示対象の場所の地図表示を継続しながら、所定のコマーシャル情報を再生するコマーシャル情報再生手順とを前記コンピュータに実行させることを特徴とする。
【発明の効果】
【０００９】
本発明によれば、特別な申請操作を行うことなく使用権のない部分の地図を利用できるようになり且つ当該地図の購入をユーザに促すことができる。
【図面の簡単な説明】
【００１０】
【図１】本発明の一実施形態に係る地図情報処理装置のシステム構成を示すブロック図。
【図２】同実施形態の地図情報処理装置が分割地図それぞれの使用権を管理するために用いる使用権情報の例を示す図。
【図３】同実施形態の地図情報処理装置が分割地図それぞれの使用権を管理するために用いる使用権情報の他の例を示す図。
【図４】同実施形態の地図情報処理装置で用いられるナビゲーションプログラムの構成例を示す図。
【図５】図４のナビゲーションプログラムに含まれるＣＭ情報処理モジュールの構成例を示す図。
【図６】同実施形態の地図情報処理装置によって表示されるナビゲーション画面の遷移の例を示す図。
【図７】同実施形態の地図情報処理装置によって実行される地図データ処理の手順の例を示すフローチャート。
【図８】同実施形態の地図情報処理装置によって実行されるＣＭ再生処理の手順の例を示すフローチャート。
【図９】同実施形態の地図情報処理装置によって実行されるＣＭ再生処理の手順の他の例を示すフローチャート。
【図１０】同実施形態の地図情報処理装置によって実行される操作禁止処理の手順の他の例を示すフローチャート。
【発明を実施するための形態】
【００１１】
以下、図面を参照して、本発明の実施形態を説明する。
【００１２】
図１は、本発明の一実施形態に係る地図情報処理装置の構成を示している。この地図情報処理装置は、地図データを用いて、地図の表示、ルート検索、およびルート案内（経路誘導）等の処理を実行する装置である。以下では、本地図情報処理装置が自動車に搭載して使用されるカーナビゲーション装置１０として実現されている場合を想定して、その構成を説明する。
【００１３】
このカーナビゲーション装置１０は、図１に示されているように、電子制御装置（ＥＣＵ）１１、位置検出部１２、記憶装置１３、操作スイッチ群１４、リモコンセンサ１５、リモコンユニット１６、通信装置１７、表示装置１８、スピーカ１９、および外部メモリ２０等を備えている。
【００１４】
電子制御装置（ＥＣＵ）１１はカーナビゲーション装置１０の動作を制御するためのものであり、ＣＰＵ１１１およびメモリ１１２等を備えている。ＣＰＵ１１１は各種演算処理を実行するためのプロセッサであり、メモリ１１２に格納されたナビゲーションプログラム４０を実行することにより、記憶装置１３に記憶されている地図データを用いて、自車位置（カーナビゲーション装置１０の現在位置）周辺の地図やユーザによって指定された場所の地図等を表示する地図表示処理、表示される地図の拡大・縮小処理、表示される地図のスクロール処理、現在地のような出発地から目的地までのルートを設定するルート検索処理、設定されたルートを案内するための案内処理（例えば音声案内処理）等を実行する。
【００１５】
位置検出部１２は現在の自車位置（現在位置）を検出する。この位置検出部１２は、例えば、ＧＰＳ受信機１２１、ジャイロスコープ１２２、および車速センサ１２３などから構成することができる。記憶装置１３は地図データを格納している。この記憶装置１３は、例えば、ＤＶＤドライブ、ハードディスクドライブ、またはメモリカードコントローラ等から構成されており、電子制御装置（ＥＣＵ）１１からの要求に応じて、ＤＶＤメディアまたはメモリカードのようなリムーバブル記録メディアやハードディスク内の固定ディスクメディアのような記憶媒体から地図データを読み出す。
【００１６】
記憶装置１３の記憶媒体に格納されている地図データは使用権が無いと使用することができない。この使用権は、例えば、携帯電話網のような無線網を介した情報センタ３０のサーバとの通信を用いて所定の使用権取得処理を実行することによって得ることが出来る。なお、地図データは例えば地域のような所定の単位でファイル化されており、ファイル単位での使用権設定ができるようになっている。したがって、地図データを構成する複数の分割地図データ（例えば、複数の分割地図データファイル）の内、一部の分割地図データの使用権のみを取得して使用するという運用が可能となる。
【００１７】
複数の分割地図データは暗号化された状態で記憶装置１３に格納してもよい。この場合、使用権取得処理によって使用権が取得された分割地図データを復号するための鍵は無線網を介して情報センタ３０のサーバから取得することが出来る。
【００１８】
電子制御装置（ＥＣＵ）１１は、使用権が設定されていない分割地図の購入機会をユーザに提供するための機能としてコマーシャル（ＣＭ）情報再生機能を有している。このＣＭ情報再生機能は、例えば、走行中に自車位置が使用権が設定されていない分割地図に対応する地域に入ってしまった場合でも、その分割地図に対応する地図の表示等の処理を継続して実行し（地図の表示制限、機能制限を伴う使用形態も含む）、その代わりに、例えば、分割地図の宣伝や、最新版地図の宣伝、又は他の各種サービスの宣伝といったコマーシャル情報を映像または音声にて再生する機能である。
【００１９】
コマーシャル情報の再生は、例えば、定期的に繰り返し実行される。コマーシャル情報の再生による効果としては、例えば、（１）ユーザに対して地図等に関する宣伝を行うことが出来ること、（２）地図を購入すればコマーシャル情報が再生されずに快適なナビゲーションが可能になるという認識をユーザに対して与えることが出来ること、等が挙げられる。
【００２０】
コマーシャル情報の再生期間中は、例えば、表示対象の場所の地図を縮小して表示画面上に表示すると共に、コマーシャル情報に含まれるコマーシャル映像を表示画面上に表示するという処理が実行される。すなわち、ナビゲーション画面を縮小することによって表示画面上に空き領域を設け、その空き領域にコマーシャル映像が表示される。また、コマーシャル情報に含まれるコマーシャル音声を再生出力するといった処理も実行することができる。なお、自車位置が地図の使用権が無い地域内である間、コマーシャル映像を表示せずに、コマーシャル音声のみを例えば定期的に繰り返し再生出力するようにしてもよい。この場合、ナビゲーション画面を縮小する必要はない。
【００２１】
コマーシャル情報は例えば記憶装置１３に予め格納しておいてもよいが、情報センタ３０のサーバからリアルタイムにコマーシャル情報を取得して再生出力するようにすることもできる。例えば、表示対象の場所の地図表示に必要な分割地図データに対応する地域を示す情報や、現在位置情報等を情報センタ３０のサーバに通知することにより、表示対象の場所に対応する地域に関連づけられたコマーシャル情報を情報センタ３０のサーバから取得して再生することも可能となる。これにより、常に最新の内容のコマーシャル情報を再生出力することが可能となると共に、自車位置に対応する地域内の飲食店やアミューズメントパークの宣伝等を効果的に行うことも可能となる。
【００２２】
操作スイッチ群１４はユーザが各種操作指示を入力するための入力操作部である。リモコンセンサ１５は利用者が各種指令を入力するためのスイッチ等が設けられたリモコンユニット１６からの信号を受信する装置であり、各種操作指示を入力するために用いられる。通信装置１７は無線網（ネットワーク）を介して情報センタ３０のサーバとの通信を実行する。この通信装置１７としては、ナビゲーション装置１０に内蔵された無線通信モジュールの他、ユーザの携帯電話等を使用することもできる。
【００２３】
表示装置１８は地図（道路地図）や各種施設に対応するランドマーク等を含むナビゲーション画面等を表示するためのディスプレイである。スピーカ１９は音声案内のための音声メッセージや他の各種音声を出力するために使用される。外部メモリ２０は、電子制御装置１１の設定したルートや地図データの使用権に関する情報（使用権情報）などを記憶する。使用権情報は、複数の分割地図データそれぞれについて使用権の有無を管理するための情報である。
【００２４】
使用権情報は、例えば、図２または図３に示すデータ構造等を用いて管理することができる。図２の使用権情報においては、分割地図データ毎に、その分割地図データの番号、対応する地域を示す地域番号、使用権の有無が管理されている。また、図３の使用権情報においては、使用権の有無を示す情報の代わりに、対応する分割地図データを復号するための鍵またはその鍵の格納位置等が管理されている。使用権が設定されていない分割地図データに対応する鍵のフィールドはブランクとなる。
【００２５】
図４には、ナビゲーションプログラム４０の構成が示されている。ナビゲーションプログラム４０は、ナビゲーション処理モジュール４１、地図データ管理モジュール４２、使用権判定モジュール４３、ＣＭ情報処理モジュール４４、通信モジュール４５、地図データ購入モジュール４６等から構成されている。
【００２６】
ナビゲーション処理モジュール４１は、地図データを用いて、地図の表示や、出発地から目的地までのルートを設定し当該設定されたルートを案内するルート検索・案内処理等を実行するためのソフトウェアモジュールである。このナビゲーション処理モジュール４１は、位置検出部１２によって検出された自車位置（現在位置）周辺の地図やユーザによって指定された指定場所周辺の地図表示を行うための地図表示モジュール４１１、地図データに基づいて、現在位置等の出発地から指定された目的地までのルートを設定するためのルート検索モジュール４１２、および設定されたルートを地図上のルート案内表示や音声案内等によって案内するための音声案内モジュール４１３を備えている。
【００２７】
地図データ管理モジュール４２は、記憶装置１３に格納された地図データを構成する複数の分割地図データそれぞれの使用権を管理するためのソフトウェアモジュールであり、上述の使用権情報の生成および管理を行う。使用権判定モジュール４３は、上述の使用権情報に基づいて、表示対象の場所の地図表示に必要な分割地図データに使用権が設定されている否かを判定する。ＣＭ情報処理モジュール４４は、表示対象の場所の地図表示に必要な分割地図データに使用権が設定されていない場合に、上述のＣＭ情報再生処理を実行するためのソフトウェアモジュールである。
【００２８】
通信モジュール４５は、携帯電話網のような無線通信網を介して情報センタ３０のサーバとの通信を実行するためのソフトウェアモジュールである。地図データ購入モジュール４６は、情報センタ３０のサーバとの通信によって、例えば、クレジットカード番号等の金融取引情報等をサーバに通知する処理を含む所定の購入処理を実行するためのソフトウェアモジュールである。この購入処理によって分割地図データを購入することにより、その分割地図データを復号するための鍵を情報センタ３０のサーバから取得することができ、その分割地図データの使用権を得ることができる。
【００２９】
図５には、ＣＭ情報処理モジュール４４の構成例が示されている。ＣＭ情報処理モジュール４４は、例えば、ＣＭ再生タイミング制御モジュール４０１と、ＣＭ再生モジュール４０２とから構成されている。
【００３０】
ＣＭ再生モジュール４０２は、ＣＭ映像を表示再生するためのＣＭ表示再生モジュール４１１とＣＭ音声を再生出力するためのＣＭ音声再生モジュール４１２とを含む。なお、ＣＭ映像としては、文字や静止画像、アニメーションのようなグラフィクス、動画像等を使用し得る。ＣＭ再生タイミング制御モジュール４０１は、ＣＭ再生モジュール４０２によるＣＭ情報の再生タイミングを制御する。
【００３１】
ＣＭ再生タイミング制御モジュール４０１は、例えば、ＣＭ情報の再生が定期的（例えば、６時，９時，１２時，１５時，１８時，２１時，２４時などの定刻毎）に実行されるようにＣＭ情報の再生タイミングを制御する。
【００３２】
このように、自車位置が使用権が設定されいない分割地図データに対応する地域にある間は、予め決められた時刻毎にＣＭ情報を再生するという定刻ＣＭ再生を行うことにより、ＣＭ情報が再生される時間が運転者の記憶に残りやすい。運転者がＣＭ情報が再生される時刻を予測しやすいため、運転時にＣＭ情報が映像又は音声で急に流れ始めることで運転者が驚くことを軽減する効果もあると予測される。なお、現在時刻がＣＭ再生時刻であっても、自車位置が例えば事故多発地点のような予め決められた特定のエリア内に存在する場合には、自車位置がその特定のエリアを抜けるまでＣＭ情報の再生タイミングを遅らせるようにしてもよい。
【００３３】
また、ルート検索によって設定されたルートに従ってルート案内を行う場合には、地図データに基づいて、設定されたルート中においてＣＭ情報を再生する区間を決定し、現在位置が決定された区間内である時に、コマーシャル情報を再生するようにしてもよい。設定されたルートの中で、例えば、使用権の無い分割地図データに対応する地域に属し、且つ直線区間が一定距離以上続く区間等を、ＣＭ情報再生区間として決定しても良い。そして、そのＣＭ情報再生区間の開始地点などをＣＭ情報再生開始地点として決定し、自車位置がそのＣＭ情報再生開始地点に対応する位置に到達した時にＣＭ情報を再生するようにしてもよい。いずれにしても、現在走行中の地域が地図の使用権が無い地域である間は、ＣＭ情報が逐次再生される。
【００３４】
図６には、自車位置が使用権が無い分割地図データに対応する地域に入った時にナビゲーション装置１０によって表示されるナビゲーション画面の遷移の例が示されている。
【００３５】
図６（Ａ）に示されているように、自車位置が使用権が無い分割地図データに対応する地域に入ってもナビゲーション処理は継続して実行されるので、道路地図、自車位置を示す矢印等のマーク、周囲の施設を示すランドマークなどが表示されるナビゲーション画面が通常通り表示される。
【００３６】
例えば、特定の時間（例えば、６時，９時，１２時，１５時，１８時，２１時，２４時等）になると、図６（Ｂ）に示されているように、地図表示のための画面は縮小され、残りのスペースに、使用権の購入を促すメッセージや他の宣伝映像等のコマーシャル映像が表示される。
【００３７】
さらに、現在時刻を示すコマーシャル映像が表示されると共に、例えば、“午前９時をお知らせします。地図の使用権を購入しましょう”といったコマーシャル音声が再生される。一回のＣＭ情報の再生時間は例えば１分程度である。このように地図を縮小してナビゲーション画面上に表示することにより、地図の視認性は低下するものの、地図の内容等をユーザに知らせることが出来る。
【００３８】
また、ＣＭ情報の再生期間中は、ユーザによるナビゲーション装置１０の操作は禁止される。例えば、図６（Ｃ）に示されているように、停車中等で、ユーザがナビゲーション装置１０の操作を行おうとしても、ＣＭ再生中であった場合には、その操作は受け付けられない。これにより、ＣＭ再生を優先して実行することが可能となる。ユーザがナビゲーション装置１０を操作した時には、例えば、“ＣＭ中です”といった音声メッセージが再生される。これにより、故障ではないことをユーザに知らせることが出来る。
【００３９】
１分程度ＣＭ再生が行われた後は、図６（Ｄ）に示されているように、ナビゲーション画面は通常通り表示される。つまり、地図表示の画面は元のサイズに拡大される。
【００４０】
このように、定刻にコマーシャル情報を逐次再生し、またそのコマーシャル情報の再生間はシステムの操作を行うことが出来なくなるため、運転者に対して、地図の購入を行えば定刻のコマーシャル再生が無くなり、快適な利用を行えるという認識を与えることが可能となり、この結果地図の販売拡大の促進を図り得る。
【００４１】
次に、図７のフローチャートを参照して、ナビゲーション装置１０の電子制御装置１１によって実行される地図データ処理の手順の例を説明する。
【００４２】
基本的には、電子制御装置１１は、現在地以外の表示指定がされている場合においては、ユーザ操作によって指定された指定場所の地図表示に必要な地図データ（分割地図データ）の使用権が未取得であれば、その旨を表示又は音声でユーザに報知して指定された場所の地図を表示するのに必要な地図データの使用権が取得されていないことをユーザに知らせると共に、ＣＭ情報を再生して地図データの購入をユーザに促す。現在地の表示指定がされている場合には、電子制御装置１１は、自車位置が使用権が無い分割地図データに対応する地域に入った時に、その旨を表示又は音声でユーザに報知して現在位置に対応する地図を表示するのに必要な地図データの使用権が取得されていないことをユーザに知らせると共に、ＣＭ情報を再生して地図データの購入をユーザに促す。以下、電子制御装置１１によって実行される具体的な処理について説明する。
【００４３】
まず、電子制御装置１１は、現在の地図表示モードが“現在地表示”モードかそれ以外の表示モードであるかを判定する（ステップＳ１１）。“現在地表示”モードは、位置検出部１２によって検出される現在の自車位置周辺の地図を表示するモードであり、例えば、自車位置を示す矢印のマークが常にナビゲーション画面の中央に位置するように自車位置の変更に伴って地図表示のためのイメージが逐次更新される。
【００４４】
“現在地表示”モードにおいては、電子制御装置１１は、位置検出部１２から現在地（自車位置）を取得し（ステップＳ１２）、そして使用権情報に基づいて、現在地の地図表示に必要な地図データ（分割地図データ）の使用権が未取得であるかどうかを判定する（ステップＳ１３）。
【００４５】
現在地の地図表示に必要な地図データ（分割地図データ）の使用権が取得済みであるならば（ステップＳ１３のＮＯ）、電子制御装置１１は、通常通り地図表示を行う（ステップＳ１４）。そして、電子制御装置１１は、例えば、現在地が、使用権が取得済みの地図データに対応する地域の端（表示可能エリア端）に接近したかどうかを判定する（ステップＳ１５、Ｓ１６）。表示可能エリア端に接近したことが検出されたならば（ステップＳ１７）、電子制御装置１１は、自車位置が使用権が無い分割地図データに対応する地域に入る旨を報知すると共にＣＭ再生処理を開始する（ステップＳ１７）。現在地が使用権の無い地図データ（分割地図データ）に対応する地域内に存在する間は、電子制御装置１１によってＣＭ再生処理が実行される（ステップＳ１８）。
【００４６】
“現在地表示”モード以外の地図表示モードにおいては、電子制御装置１１は、ユーザによって指定された場所の地図表示に必要な地図データ（分割地図データ）の使用権が未取得であるかどうかを判定する（ステップＳ１９）。指定場所の地図表示に必要な地図データ（分割地図データ）の使用権が取得済みであるならば（ステップＳ１９のＮＯ）、電子制御装置１１は、通常通り地図表示を行う（ステップＳ２０）。一方、指定場所の地図表示に必要な地図データ（分割地図データ）の使用権が未取得であるならば（ステップＳ１９のＹＥＳ）、電子制御装置１１は、ＣＭ再生処理を開始する（ステップＳ２１）。このステップＳ２１においても、指定された場所が使用権が無い分割地図データに対応する場所である旨を音声または映像によって報知する処理を実行してもよい。
【００４７】
次に、図８のフローチャートを参照して、電子制御装置１１によって実行されるＣＭ再生処理の手順を説明する。ここでは、情報センタ３０のサーバとの通信によってＣＭ情報を取得する場合を想定する。
【００４８】
電子制御装置１１は、例えば、現在位置または指定場所の地図表示に必要な地図データの使用権が未取得であることが検出された時などに、情報センタ３０のサーバとの通信によって情報センタ３０のサーバにＣＭ情報を要求し（ステップＳ３１）、そして情報センタ３０のサーバから送信されるＣＭ情報を受信する（ステップＳ３２）。そして、例えば、現在時刻が予め決められたＣＭ再生時刻になった時（ステップＳ３３のＹＥＳ）、電子制御装置１１は、ＣＭ情報の再生を開始する。
【００４９】
この場合、電子制御装置１１は、現在位置または指定場所周辺の地図を示す画像（地図表示データ）を縮小すると共に（ステップＳ３４）、取得したＣＭ情報に含まれるＣＭ映像データを再生する（ステップＳ３５）。そして、電子制御装置１１は、縮小された地図表示のための画像とＣＭ映像とを合成して表示装置１８の表示画面上に表示する（ステップＳ３６）。そして、電子制御装置１１は、取得したＣＭ情報に含まれるＣＭ音声データを再生する（ステップＳ３７）。
【００５０】
次に、図９のフローチャートを参照して、電子制御装置１１によって実行されるＣＭ再生処理の他の手順を説明する。ここでは、既に案内ルートが設定されており、その設定されたルート中におけるＣＭ情報再生区間を地図データに基づいて決定し、自車位置がＣＭ情報再生区間内である時にコマーシャル情報を再生する場合を想定する。
【００５１】
電子制御装置１１は、例えば、現在位置の地図表示に必要な地図データの使用権が未取得であることが検出された時などに、情報センタ３０のサーバとの通信によって情報センタ３０のサーバにＣＭ情報を要求し（ステップＳ４１）、そして情報センタ３０のサーバから送信されるＣＭ情報を受信する（ステップＳ４２）。また、電子制御装置１１は、例えば、設定されたルートと、地図データと、使用権情報とに基づいて、設定されたルート中においてＣＭ情報を再生する区間を決定する（ステップＳ４３）。このステップＳ４３では、例えば、使用権の無い分割地図データに対応する地域に属し、且つ例えば直線区間が一定距離以上続く区間などがＣＭ情報再生区間として決定されると共に、その区間の開始地点などがＣＭ情報再生開始地点として決定される。なお、ステップＳ４３の処理は、現在位置の地図表示に必要な地図データの使用権が未取得であることが検出された時ではなく、例えば、ルートが設定された時またはその設定されたルートに従った案内処理が開始された時などに行うようにしてもよい。
【００５２】
そして、電子制御装置１１は、例えば、現在位置がＣＭ情報再生開始地点に近づいたかどうか、つまり現在位置がＣＭ情報再生開始地点に対応する地点に達したかどうかを判定する（ステップＳ４４）。現在位置がＣＭ情報再生開始地点に対応する地点に達した場合（ステップＳ４４のＹＥＳ）、電子制御装置１１は、ＣＭ情報の再生を開始する。
【００５３】
この場合、電子制御装置１１は、現在位置または指定場所周辺の地図を示す画像（地図表示データ）を縮小すると共に（ステップＳ４５）、取得したＣＭ情報に含まれるＣＭ映像データを再生する（ステップＳ４６）。そして、電子制御装置１１は、縮小された地図表示のための画像とＣＭ映像とを合成して表示装置１８の表示画面上に表示する（ステップＳ４７）。そして、電子制御装置１１は、取得したＣＭ情報に含まれるＣＭ音声データを再生する（ステップＳ４８）。
【００５４】
次に、図１０のフローチャートを参照して、ＣＭ再生処理中の入力操作の受付を禁止する処理について説明する。
【００５５】
ユーザによる操作スイッチ群１４の操作およびリモコンユニット１６の操作にそれぞれ応答して操作スイッチ群１４およびリモコンセンサ１５は入力操作イベントを発生する。この入力操作イベントの発生に応答して（ステップＳ５１のＹＥＳ）、電子制御装置１１は、ＣＭ再生中であるか否かを判定する（ステップＳ５２）。ＣＭ再生中でない場合には、電子制御装置１１は、通常通り、入力操作イベントに対応する所定の処理（例えば、各種操作画面の表示処理、地図の拡大・縮小処理、ナビゲーション画面のスクロール処理、電源オフ処理、等）を実行する（ステップＳ５３）。
【００５６】
一方、ＣＭ再生中であった場合には（ステップＳ５２のＹＥＳ）、電子制御装置１１は、入力操作イベントに対応する処理の実行を禁止するために、ステップＳ５３の処理をスキップする。これにより、ＣＭ再生期間中は、ユーザによるナビゲーション装置１０に対する入力操作は受付られなくなる。
【００５７】
以上のように、本実施形態によれば、現在地の地図や指定場所の地図といった表示対象の地図の表示に必要な分割地図データに使用権が設定されていない場合に、表示処理対象の地図の表示を継続した状態で地図等に関するコマーシャル情報が再生される。よって、特別な申請操作を行うことなく、使用権のない部分の地図の利用できるようになり、且つ地図の購入をユーザに促すことができる。さらに、使用権のない部分の地図の内容もユーザに提示でき、且つコマーシャル情報によって各種の有用な情報をユーザに提示することもできる。
【００５８】
なお、本実施形態では、カーナビゲーションを例示して説明したが、本実施形態の機能は、携帯電話やＰＤＡを使って道路を歩くユーザに対して地図表示やルート案内等を行うという携帯ナビゲーションにも同様にして適用することができる。
【００５９】
また、本実施形態のナビゲーション装置１０の機能は全てナビゲーションプログラム４０によって制御可能であるので、このナビゲーションプログラム４０を、このナビゲーションプログラム４０を格納した記憶媒体を通じてコンピュータにインストールして実行するだけで、本実施形態と同様の効果を容易に得ることができる。
【００６０】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００６１】
１０…ナビゲーション装置、１１…電子制御装置、１２…位置検出部、１３…記憶装置、１７…通信装置、１８…表示装置、２０…外部メモリ、３０…情報センタ、４０…ナビゲーションプログラム、１１１…ＣＰＵ、４１…ナビゲーション処理モジュール、４２…地図データ管理モジュール、４３…使用権判定モジュール、４４…ＣＭ情報処理モジュール、４５…通信モジュール、４６…地図データ購入モジュール。
【図１】
2011069663.tif 000003
【図２】
2011069663.tif 000004
【図３】
2011069663.tif 000005
【図４】
2011069663.tif 000006
【図５】
2011069663.tif 000007
【図６】
2011069663.tif 000008
【図７】
2011069663.tif 000009
【図８】
2011069663.tif 000010
【図９】
2011069663.tif 000011
【図１０】
2011069663.tif 000012